(57)【要約】【課題】本発明は収納に便利な自転車ロックを開示した。【解決手段】ボディー及び前記ボディーの中に位置する収納チャンバと第一空チャンバを含み、前記収納チャンバの端壁の中には連通穴が設置され、前記収納チャンバと前記第一空チャンバとの間には内部に抜き穴が設置される収納軸が回転できるように設置され、前記第一空チャンバの中にある前記収納軸の外部には第一歯車が固定的に設置され、本発明の自転車ロックは手でチェーンを引き動かすことで生み出される動力によりねじりばねがエネルギー蓄積を実現でき、それと同時に自転車をロックすることを実現し、設備の体積を縮小し、前記設備には指紋モジュールが設置されることにより解錠がコントロールされ、安全度が高く、また発電装置が備わている。【選択図】図１
2020176495.tif 000002
【特許請求の範囲】
【請求項１】
ボディー及び前記ボディーの中に位置する収納チャンバと第一空チャンバを含み、前記収納チャンバの端壁の中には連通穴が設置され、前記収納チャンバと前記第一空チャンバとの間には内部に抜き穴が設置される収納軸が回転できるように設置され、前記第一空チャンバの中にある前記収納軸の外部には第一歯車が固定的に設置され、前記収納チャンバの中にある前記収納軸の外部には前記収納軸と固定的に連結されるチェーンが周設され、前記第一空チャンバの底壁の中には前記収納チャンバの右側に位置する第一カムチャンバが設置され、前記第一カムチャンバの底壁の中にはラチェットチャンバが設置され、前記ラチェットチャンバの中にはラチェット装置が設置され、前記ラチェットチャンバの片側端壁の中には下へ伸びている第二空チャンバが設置され、前記第二空チャンバの端壁の中には第二カムチャンバが設置され、前記第二カムチャンバの中には解錠装置が設置され、前記ボディーの端壁の中には開口したロック溝が設置され、前記ロック溝の中にはロックロッドがスライドできるように設置され、前記ロックロッドの頂壁の中には凹溝が設置され、前記ロックロッドの末端には固定ブロックが固定的に装着され、前記固定ブロックの端壁と前記チェーンのうち前記収納軸から離れている末端とが固定的に連結され、前記ロック溝の中にはロック装置が設置され、前記ボディーの頂壁には太陽光発電装置が設置されることを特徴とする収納に便利な自転車ロック。
【請求項２】
前記ラチェット装置は前記ラチェットチャンバと前記第一空チャンバとの間に回転できるように設置される第一回転軸を含み、前記第一空チャンバの中にある前記第一回転軸の末端には発電装置が固定的に設置され、前記第一空チャンバの中にある前記第一回転軸の末端には前記第一歯車と噛み合う第二歯車が固定的に設置され、前記第一カムチャンバの中にある前記第一回転軸の外部には第一カムが固定的に設置され、前記第一回転軸の末端にはねじりばねが設置され、前記ラチェットチャンバの中にある前記第一回転軸の外部にはラチェットが固定的に設置されることを特徴とする請求項１に記載の収納に便利な自転車ロック。
【請求項３】
前記ロック装置は前記第一カムチャンバの片側端壁の中に設置され、且つ第一カムチャンバの片側端壁と連通する第一スライド穴を含み、前記第一スライド穴の中には第一スライドロッドがスライドできるように設置され、前記第一スライドロッドと前記第一スライド穴の端壁との間には第一リセット装置が弾性的に設置され、前記第一スライド穴と前記ロック溝との間には第二スライド穴が連通するように設置され、前記第二スライド穴の中には第二スライドロッド及び前記第二スライドロッドの下方に位置する第三スライドロッドがスライドできるように設置され、前記第二スライドロッドと前記第二スライド穴の端壁との間には第二リセット装置が弾性的に設置され、前記第三スライドロッドの端壁の中には開口した斜め溝が設置され、前記第三スライドロッドと前記第二スライドロッドとの間には第一バネが弾性的に設置され、前記第二スライド穴の端壁の中には前記第二スライド穴と連通する第三スライド穴が設置され、前記第三スライド穴の中には第四スライドロッドがスライドできるように設置され、前記第四スライドロッドと前記第三スライド穴の端壁との間には第三リセット装置が弾性的に設置され、前記第四スライドロッドの中には上下に貫通している楔形穴が設置され、前記ロック溝の頂壁の中には前記第三スライド穴を貫通している第四スライド穴が設置され、前記第四スライド穴の中には第五スライドロッドがスライドできるように設置され、前記第五スライドロッドと前記第四スライド穴の端壁との間には第四リセット装置が弾性的に設置されることを特徴とする請求項１又は請求項２に記載の収納に便利な自転車ロック。
【請求項４】
前記解錠装置はスライド溝を含み、前記スライド溝の中にはスライドブロックとバックルとがスライドできるように設置され、前記バックルと前記スライドブロックとの間には第二バネが弾性的に設置され、前記スライドブロックの片側端壁の中にはねじ穴が設置され、前記ねじ穴の中にはネジロッドがねじ山によって連結され、前記ネジロッドの末端が前記第二空チャンバの中に插入され、且つ前記第二空チャンバの端壁の中に固定的に設置されるモーターと動力が伝達できるように連結され、前記モーターが前記ボディーの底部に固定的に設置される指紋モジュールと電気的に接続され、前記第二空チャンバの中にある前記ネジロッドの外周面には第一プーリが固定的に設置され、前記第二空チャンバと前記第二カムチャンバとの間には第二回転軸が回転できるように設置され、前記第二空チャンバの中にある前記第二回転軸の末端には第二プーリが固定的に設置され、前記第二プーリと前記第一プーリとの間にはベルトにより伝動できるように連結され、前記第二カムチャンバの中にある前記第二回転軸の末端には第二カムが固定的に装着され、前記第二カムチャンバの中には前記第三スライドロッドと固定的に連結される滑りブロックがスライドできるように設置されることを特徴とする請求項１又は請求項２又は請求項３に記載の収納に便利な自転車ロック。
【発明の詳細な説明】
【技術分野】
【０００１】
本発明はロック分野に関わり、具体的には収納に便利な自転車ロックである。
【背景技術】
【０００２】
現代社会ではますます健康的なグリーン旅行を促進しており、自転車は非常に有効で安全な方式の一つであり、それと同時に自転車が占める比率も最も大きく、人々は自転車で旅などをする時に自転車を紛失するリスクがあり、上記の問題を解決するために、携帯に便利でしっかりとロックされることができる自転車ロックが必要となる。
伝統的な自転車ロックは体積が大きく、携帯に不便で、且つ安全性が低い。
したがって、既存技術の自転車ロックを更に改善する必要があり、それにより自転車ロックの可搬性と信頼度を高める。
【先行技術文献】
【特許文献】
【０００３】
【特許文献１】中国特許出願公開第１０７９７５３０８号明細書
【発明の概要】
【発明が解決しようとする課題】
【０００４】
本発明は収納に便利な自転車ロックを提供し、既存技術にある上記の欠点を解消し、設備の実用性を高めることを目的とする。
【課題を解決するための手段】
【０００５】
本発明の収納に便利な自転車ロックは、ボディー及び前記ボディーの中に位置する収納チャンバと第一空チャンバを含み、前記収納チャンバの端壁の中には連通穴が設置され、前記収納チャンバと前記第一空チャンバとの間には内部に抜き穴が設置される収納軸が回転できるように設置され、前記第一空チャンバの中にある前記収納軸の外部には第一歯車が固定的に設置され、前記収納チャンバの中にある前記収納軸の外部には前記収納軸と固定的に連結されるチェーンが周設され、前記第一空チャンバの底壁の中には前記収納チャンバの右側に位置する第一カムチャンバが設置され、前記第一カムチャンバの底壁の中にはラチェットチャンバが設置され、前記ラチェットチャンバの中にはラチェット装置が設置され、前記ラチェットチャンバの片側端壁の中には下へ伸びている第二空チャンバが設置され、前記第二空チャンバの端壁の中には第二カムチャンバが設置され、前記第二カムチャンバの中には解錠装置が設置され、前記ボディーの端壁の中には開口したロック溝が設置され、前記ロック溝の中にはロックロッドがスライドできるように設置され、前記ロックロッドの頂壁の中には凹溝が設置され、前記ロックロッドの末端には固定ブロックが固定的に装着され、前記固定ブロックの端壁と前記チェーンのうち前記収納軸から離れている末端とが固定的に連結され、前記ロック溝の中にはロック装置が設置され、前記ボディーの頂壁には太陽光発電装置が設置される。
【０００６】
前記ラチェット装置は前記ラチェットチャンバと前記第一空チャンバとの間に回転できるように設置される第一回転軸を含み、前記第一空チャンバの中にある前記第一回転軸の末端には発電装置が固定的に設置され、前記第一空チャンバの中にある前記第一回転軸の末端には前記第一歯車と噛み合う第二歯車が固定的に設置され、前記第一カムチャンバの中にある前記第一回転軸の外部には第一カムが固定的に設置され、前記第一回転軸の末端にはねじりばねが設置され、前記ラチェットチャンバの中にある前記第一回転軸の外部にはラチェットが固定的に設置される。
【０００７】
前記ロック装置は前記第一カムチャンバの片側端壁の中に設置され、且つ第一カムチャンバの片側端壁と連通する第一スライド穴を含み、前記第一スライド穴の中には第一スライドロッドがスライドできるように設置され、前記第一スライドロッドと前記第一スライド穴の端壁との間には第一リセット装置が弾性的に設置され、前記第一スライド穴と前記ロック溝との間には第二スライド穴が連通するように設置され、前記第二スライド穴の中には第二スライドロッド及び前記第二スライドロッドの下方に位置する第三スライドロッドがスライドできるように設置され、前記第二スライドロッドと前記第二スライド穴の端壁との間には第二リセット装置が弾性的に設置され、前記第三スライドロッドの端壁の中には開口した斜め溝が設置され、前記第三スライドロッドと前記第二スライドロッドとの間には第一バネが弾性的に設置され、前記第二スライド穴の端壁の中には前記第二スライド穴と連通する第三スライド穴が設置され、前記第三スライド穴の中には第四スライドロッドがスライドできるように設置され、前記第四スライドロッドと前記第三スライド穴の端壁との間には第三リセット装置が弾性的に設置され、前記第四スライドロッドの中には上下に貫通している楔形穴が設置され、前記ロック溝の頂壁の中には前記第三スライド穴を貫通している第四スライド穴が設置され、前記第四スライド穴の中には第五スライドロッドがスライドできるように設置され、前記第五スライドロッドと前記第四スライド穴の端壁との間には第四リセット装置が弾性的に設置される。
【０００８】
好ましくは、前記解錠装置はスライド溝を含み、前記スライド溝の中にはスライドブロックとバックルとがスライドできるように設置され、前記バックルと前記スライドブロックとの間には第二バネが弾性的に設置され、前記スライドブロックの片側端壁の中にはねじ穴が設置され、前記ねじ穴の中にはネジロッドがねじ山によって連結され、前記ネジロッドの末端が前記第二空チャンバの中に插入され、且つ前記第二空チャンバの端壁の中に固定的に設置されるモーターと動力が伝達できるように連結され、前記モーターが前記ボディーの底部に固定的に設置される指紋モジュールと電気的に接続され、前記第二空チャンバの中にある前記ネジロッドの外周面には第一プーリが固定的に設置され、前記第二空チャンバと前記第二カムチャンバとの間には第二回転軸が回転できるように設置され、前記第二空チャンバの中にある前記第二回転軸の末端には第二プーリが固定的に設置され、前記第二プーリと前記第一プーリとの間にはベルトにより伝動できるように連結され、前記第二カムチャンバの中にある前記第二回転軸の末端には第二カムが固定的に装着され、前記第二カムチャンバの中には前記第三スライドロッドと固定的に連結される滑りブロックがスライドできるように設置される。
【発明の効果】
【０００９】
本発明の有益な効果は：本発明の自転車ロックは手でチェーンを引き動かすことで生み出される動力によりねじりばねがエネルギー蓄積を実現でき、それと同時に自転車をロックすることを実現し、設備の体積を縮小し、前記設備には指紋モジュールが設置されることにより解錠がコントロールされ、安全度が高く、また発電装置が備わり、より高い使用と普及の価値がある。
【図面の簡単な説明】
【００１０】
発明の実施例または既存技術の中の技術方案をより詳しく説明できるため、下記には実施例または既存技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１１】
【図１】図１は本発明の収納に便利な自転車ロックの整体構成概略図
【図２】図２は図１のＡ−Ａの構成概略図
【図３】図３は図１のＢの拡大構成模式図
【発明を実施するための形態】
【００１２】
下記に図１−３を合わせて本発明を詳しく説明し、意思の疎通にもっと便利なため、後文に出る方位を下記の通りに規定する：後文に出る上下左右前後の方向は図１自体の投影関係の上下左右前後の方向と一致している。
【００１３】
図１−３に示すように、本発明の収納に便利な自転車ロックは、ボディー１００及び前記ボディー１００の中に位置する収納チャンバ１０２と第一空チャンバ１０５を含み、前記収納チャンバ１０２の端壁の中には連通穴１４８が設置され、前記収納チャンバ１０２と前記第一空チャンバ１０５との間には内部に抜き穴が設置される収納軸１０３が回転できるように設置され、前記第一空チャンバ１０５の中にある前記収納軸１０３の外部には第一歯車１０４が固定的に設置され、前記収納チャンバ１０２の中にある前記収納軸１０３の外部には前記収納軸１０３と固定的に連結されるチェーン１０１が周設され、前記第一空チャンバ１０５の底壁の中には前記収納チャンバ１０２の右側に位置する第一カムチャンバ１０９が設置され、前記第一カムチャンバ１０９の底壁の中にはラチェットチャンバ１３１が設置され、前記ラチェットチャンバ１３１の中にはラチェット装置２００が設置され、前記ラチェットチャンバ１３１の片側端壁の中には下へ伸びている第二空チャンバ１４７が設置され、前記第二空チャンバ１４７の端壁の中には第二カムチャンバ１１８が設置され、前記第二カムチャンバ１１８の中には解錠装置３００が設置され、前記ボディー１００の端壁の中には開口したロック溝１２５が設置され、前記ロック溝１２５の中にはロックロッド１２３がスライドできるように設置され、前記ロックロッド１２３の頂壁の中には凹溝１２４が設置され、前記ロックロッド１２３の末端には固定ブロック１２２が固定的に装着され、前記固定ブロック１２２の端壁と前記チェーン１０１のうち前記収納軸１０３から離れている末端とが固定的に連結され、前記ロック溝１２５の中にはロック装置４００が設置され、前記ボディー１００の頂壁には太陽光発電装置１４９が設置される。
【００１４】
有益なように、前記ラチェット装置２００は前記ラチェットチャンバ１３１と前記第一空チャンバ１０５との間に回転できるように設置される第一回転軸１０７を含み、前記第一空チャンバ１０５の中にある前記第一回転軸１０７の末端には発電装置１５０が固定的に設置され、前記第一空チャンバ１０５の中にある前記第一回転軸１０７の末端には前記第一歯車１０４と噛み合う第二歯車１０６が固定的に設置され、前記第一カムチャンバ１０９の中にある前記第一回転軸１０７の外部には第一カム１０８が固定的に設置され、前記第一回転軸１０７の末端にはねじりばね１３３が設置され、前記ラチェットチャンバ１３１の中にある前記第一回転軸１０７の外部にはラチェット１３２が固定的に設置される。
【００１５】
有益なように、前記ロック装置４００は前記第一カムチャンバ１０９の片側端壁の中に設置され、且つ第一カムチャンバ１０９の片側端壁と連通する第一スライド穴１１２を含み、前記第一スライド穴１１２の中には第一スライドロッド１１０がスライドできるように設置され、前記第一スライドロッド１１０と前記第一スライド穴１１２の端壁との間には第一リセット装置１１１が弾性的に設置され、前記第一スライド穴１１２と前記ロック溝１２５との間には第二スライド穴１１３が連通するように設置され、前記第二スライド穴１１３の中には第二スライドロッド１１５及び前記第二スライドロッド１１５の下方に位置する第三スライドロッド１２０がスライドできるように設置され、前記第二スライドロッド１１５と前記第二スライド穴１１３の端壁との間には第二リセット装置１１４が弾性的に設置され、前記第三スライドロッド１２０の端壁の中には開口した斜め溝１２１が設置され、前記第三スライドロッド１２０と前記第二スライドロッド１１５との間には第一バネ１１６が弾性的に設置され、前記第二スライド穴１１３の端壁の中には前記第二スライド穴１１３と連通する第三スライド穴１４０が設置され、前記第三スライド穴１４０の中には第四スライドロッド１３９がスライドできるように設置され、前記第四スライドロッド１３９と前記第三スライド穴１４０の端壁との間には第三リセット装置１３８が弾性的に設置され、前記第四スライドロッド１３９の中には上下に貫通している楔形穴１３５が設置され、前記ロック溝１２５の頂壁の中には前記第三スライド穴１４０を貫通している第四スライド穴１３４が設置され、前記第四スライド穴１３４の中には第五スライドロッド１３７がスライドできるように設置され、前記第五スライドロッド１３７と前記第四スライド穴１３４の端壁との間には第四リセット装置１３６が弾性的に設置される。
【００１６】
有益なように、前記解錠装置３００はスライド溝１３０を含み、前記スライド溝１３０の中にはスライドブロック１２９とバックル１２６とがスライドできるように設置され、前記バックル１２６と前記スライドブロック１２９との間には第二バネ１２７が弾性的に設置され、前記スライドブロック１２９の片側端壁の中にはねじ穴１２８が設置され、前記ねじ穴１２８の中にはネジロッド１４４がねじ山によって連結され、前記ネジロッド１４４の末端が前記第二空チャンバ１４７の中に插入され、且つ前記第二空チャンバ１４７の端壁の中に固定的に設置されるモーター１４５と動力が伝達できるように連結され、前記モーター１４５が前記ボディー１００の底部に固定的に設置される指紋モジュール１４９と電気的に接続され、前記第二空チャンバ１４７の中にある前記ネジロッド１４４の外周面には第一プーリ１４６が固定的に設置され、前記第二空チャンバ１４７と前記第二カムチャンバ１１８との間には第二回転軸１４２が回転できるように設置され、前記第二空チャンバ１４７の中にある前記第二回転軸１４２の末端には第二プーリ１４１が固定的に設置され、前記第二プーリ１４１と前記第一プーリ１４６との間にはベルト１４３により伝動できるように連結され、前記第二カムチャンバ１１８の中にある前記第二回転軸１４２の末端には第二カム１１９が固定的に装着され、前記第二カムチャンバ１１８の中には前記第三スライドロッド１２０と固定的に連結される滑りブロック１１７がスライドできるように設置される。
【００１７】
下記に、出願人は附図１−３及び上記に述べた本出願の自転車ロックの具体的な構成を参考して本出願の収納に便利な自転車ロックの使用方法を詳しく紹介する：
【００１８】
本発明設備が作動する時、ロックロッド１２３を抜き取り、この時に第五スライドロッド１３７が下へ移動し、第四スライドロッド１３９が斜め溝１２１の中に弾まれ、第三スライドロッド１２０がロックされ、チェーン１０１を外へ引き動し収納軸１０３と、第一歯車１０４と、第二歯車１０６と第一回転軸１０７とを回転連動させ、それにより第一カム１０８を連動させて第一スライドロッド１１０を押圧させ、それにより第二スライドロッド１１５を連動させて下へ移動し第一バネ１１６を押圧させ、この時に第三スライドロッド１１５が下へ移動できなく、この時に第一バネ１１６が圧縮されて力を蓄積し、発電装置１５０に電量を生み出し蓄え、この時に第一回転軸１０７が回転しラチェット１３２を回転連動させ、バックル１２６を押圧し第二バネ１２７を圧縮し、ラチェット１３２が一つ穴を回転させてバックル１２６がラチェット１３２により一つ穴をしっかりと引っかかり、それと同時に第一回転軸１０７が回転しねじりばね１３３を連動させて力を蓄積させ、ロックロッド１２３がタイヤを通し抜けた後にロック溝１２５の中に挿入され、それにより第四スライドロッド１３９を移動連動させ斜め溝１２１から出させ、第三スライドロッド１２０が凹溝１２４の中に弾まれ、ロックロッド１２３がロックされ、この時に自転車がロックされ、解錠する時、指で指紋モジュール１４９に触り、指紋モジュール１４９により正確に認識された後、モーター１４５が起動回転し、ネジロッド１４４と、第一プーリ１４６と第二プーリ１４１とを回転連動させ、それにより第二カム１１９を連動させて滑りブロック１１７を上へ押圧させ、それにより第三スライドロッド１２０を連動させて第一バネ１１６を圧縮させ、第三スライドロッド１２０の底部が移動し凹溝１２４から出て、ロックロッド１２３を解錠し、ネジロッド１４４が回転しスライドブロック１２９を移動連動させ第二バネ１２７を引っ張り、それによりバックル１２６を引っ張りラチェット１３２から離れ、この時に第一回転軸１０７がねじりばね１３３の作用により逆方向に回転しリセットし、それにより第二歯車１０６と、第一歯車１０４と収納軸１０３とを回転連動させ、それによりチェーン１０１を収納チャンバ１０２の中に回収し、モーター１４５が反転しスライドブロック１２９を移動連動させ、スライドブロック１２９が第二バネ１２７を押圧し、それによりバックル１２６を連動させてラチェット１３２の中に引っかかり、ロックロッド１２３をロック溝１２５の中に挿入し、設備が初期状態に戻る。
【００１９】
上記詳細な分析からわかるのは：本発明の自転車ロックは手でチェーンを引き動かすことで生み出される動力によりねじりばねがエネルギー蓄積を実現でき、それと同時に自転車をロックすることを実現し、設備の体積を縮小し、前記設備には指紋モジュールが設置されることにより解錠がコントロールされ、安全度が高く、また発電装置が備わり、より高い使用と普及の価値がある。
【００２０】
上記は、本発明の具体的な実施例だけであり、発明の保護範囲はこれに限定されたものではなく、創造的な労働を通じなく想到できる全ての変化又は入れ替わりは、本発明の保護範囲に含む。したがって、発明の保護範囲は請求項に限定された保護範囲を基準とするべきである。
【図１】
2020176495.tif 000003
【図２】
2020176495.tif 000004
【図３】
2020176495.tif 000005
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
ボディー及び前記ボディーの中に位置する収納チャンバと第一空チャンバを含み、前記収納チャンバの端壁の中には連通穴が設置され、前記収納チャンバと前記第一空チャンバとの間には内部に抜き穴が設置される収納軸が回転できるように設置され、前記第一空チャンバの中にある前記収納軸の外部には第一歯車が固定的に設置され、前記収納チャンバの中にある前記収納軸の外部には前記収納軸と固定的に連結されるチェーンが周設され、前記第一空チャンバの底壁の中には前記収納チャンバの右側に位置する第一カムチャンバが設置され、前記第一カムチャンバの底壁の中にはラチェットチャンバが設置され、前記ラチェットチャンバの中にはラチェット装置が設置され、前記ラチェットチャンバの片側端壁の中には下へ伸びている第二空チャンバが設置され、前記第二空チャンバの端壁の中には第二カムチャンバが設置され、前記第二カムチャンバの中には解錠装置が設置され、前記ボディーの端壁の中には開口したロック溝が設置され、前記ロック溝の中にはロックロッドがスライドできるように設置され、前記ロックロッドの頂壁の中には凹溝が設置され、前記ロックロッドの末端には固定ブロックが固定的に装着され、前記固定ブロックの端壁と前記チェーンのうち前記収納軸から離れている末端とが固定的に連結され、前記ロック溝の中にはロック装置が設置され、前記ボディーの頂壁には太陽光発電装置が設置されており、
前記ラチェット装置は前記ラチェットチャンバと前記第一空チャンバとの間に回転できるように設置される第一回転軸を含み、前記第一空チャンバの中にある前記第一回転軸の末端には発電装置が固定的に設置され、前記第一空チャンバの中にある前記第一回転軸の末端には前記第一歯車と噛み合う第二歯車が固定的に設置され、前記第一カムチャンバの中にある前記第一回転軸の外部には第一カムが固定的に設置され、前記第一回転軸の末端にはねじりばねが設置され、前記ラチェットチャンバの中にある前記第一回転軸の外部にはラチェットが固定的に設置されており、
前記ロック装置は前記第一カムチャンバの右側内壁の中に連通するように設置される第一スライド穴を含み、前記第一スライド穴の中には第一スライドロッドがスライドできるように設置され、前記第一スライドロッドと前記第一スライド穴の端壁との間には第一リセット装置が弾性的に設置され、前記第一スライド穴と前記ロック溝との間には第二スライド穴が連通するように設置され、前記第二スライド穴の中には第二スライドロッド及び前記第二スライドロッドの下方に位置する第三スライドロッドがスライドできるように設置され、前記第二スライドロッドと前記第二スライド穴の端壁との間には第二リセット装置が弾性的に設置され、前記第三スライドロッドの端壁の中には開口した斜め溝が設置され、前記第三スライドロッドと前記第二スライドロッドとの間には第一バネが弾性的に設置され、前記第二スライド穴の端壁の中には前記第二スライド穴と連通する第三スライド穴が設置され、前記第三スライド穴の中には第四スライドロッドがスライドできるように設置され、前記第四スライドロッドと前記第三スライド穴の端壁との間には第三リセット装置が弾性的に設置され、前記第四スライドロッドの中には上下に貫通している楔形穴が設置され、前記ロック溝の頂壁の中には前記第三スライド穴を貫通している第四スライド穴が設置され、前記第四スライド穴の中には第五スライドロッドがスライドできるように設置され、前記第五スライドロッドと前記第四スライド穴の端壁との間には第四リセット装置が弾性的に設置されており、
前記解錠装置はスライド溝を含み、前記スライド溝の中にはスライドブロックとバックルとがスライドできるように設置され、前記バックルと前記スライドブロックとの間には第二バネが弾性的に設置され、前記スライドブロックの片側端壁の中にはねじ穴が設置され、前記ねじ穴の中にはネジロッドがねじ山によって連結され、前記ネジロッドの末端が前記第二空チャンバの中に插入され、且つ前記第二空チャンバの端壁の中に固定的に設置されるモーターと動力が伝達できるように連結され、前記モーターが前記ボディーの底部に固定的に設置される指紋モジュールと電気的に接続され、前記第二空チャンバの中にある前記ネジロッドの外周面には第一プーリが固定的に設置され、前記第二空チャンバと前記第二カムチャンバとの間には第二回転軸が回転できるように設置され、前記第二空チャンバの中にある前記第二回転軸の末端には第二プーリが固定的に設置され、前記第二プーリと前記第一プーリとの間にはベルトにより伝動できるように連結され、前記第二カムチャンバの中にある前記第二回転軸の末端には第二カムが固定的に装着され、前記第二カムチャンバの中には前記第三スライドロッドと固定的に連結される滑りブロックがスライドできるように設置されることを特徴とする収納に便利な自転車ロック。
【手続補正２】
【補正対象書類名】明細書
【補正対象項目名】全文
【補正方法】変更
【補正の内容】
【発明の詳細な説明】
【技術分野】
【０００１】
本発明はロック分野に関わり、具体的には収納に便利な自転車ロックである。
【背景技術】
【０００２】
現代社会ではますます健康的なグリーン旅行を促進しており、自転車は非常に有効で安全な方式の一つであり、それと同時に自転車が占める比率も最も大きく、人々は自転車で旅などをする時に自転車を紛失するリスクがあり、上記の問題を解決するために、携帯に便利でしっかりとロックされることができる自転車ロックが必要となる。
伝統的な自転車ロックは体積が大きく、携帯に不便で、且つ安全性が低い。
したがって、既存技術の自転車ロックを更に改善する必要があり、それにより自転車ロックの可搬性と信頼度を高める。
【先行技術文献】
【特許文献】
【０００３】
【特許文献１】中国特許出願公開第１０７９７５３０８号明細書
【発明の概要】
【発明が解決しようとする課題】
【０００４】
本発明は収納に便利な自転車ロックを提供し、既存技術にある上記の欠点を解消し、設備の実用性を高めることを目的とする。
【課題を解決するための手段】
【０００５】
本発明の収納に便利な自転車ロックは、ボディー及び前記ボディーの中に位置する収納チャンバと第一空チャンバを含み、前記収納チャンバの端壁の中には連通穴が設置され、前記収納チャンバと前記第一空チャンバとの間には内部に抜き穴が設置される収納軸が回転できるように設置され、前記第一空チャンバの中にある前記収納軸の外部には第一歯車が固定的に設置され、前記収納チャンバの中にある前記収納軸の外部には前記収納軸と固定的に連結されるチェーンが周設され、前記第一空チャンバの底壁の中には前記収納チャンバの右側に位置する第一カムチャンバが設置され、前記第一カムチャンバの底壁の中にはラチェットチャンバが設置され、前記ラチェットチャンバの中にはラチェット装置が設置され、前記ラチェットチャンバの片側端壁の中には下へ伸びている第二空チャンバが設置され、前記第二空チャンバの端壁の中には第二カムチャンバが設置され、前記第二カムチャンバの中には解錠装置が設置され、前記ボディーの端壁の中には開口したロック溝が設置され、前記ロック溝の中にはロックロッドがスライドできるように設置され、前記ロックロッドの頂壁の中には凹溝が設置され、前記ロックロッドの末端には固定ブロックが固定的に装着され、前記固定ブロックの端壁と前記チェーンのうち前記収納軸から離れている末端とが固定的に連結され、前記ロック溝の中にはロック装置が設置され、前記ボディーの頂壁には太陽光発電装置が設置される。
【０００６】
前記ラチェット装置は前記ラチェットチャンバと前記第一空チャンバとの間に回転できるように設置される第一回転軸を含み、前記第一空チャンバの中にある前記第一回転軸の末端には発電装置が固定的に設置され、前記第一空チャンバの中にある前記第一回転軸の末端には前記第一歯車と噛み合う第二歯車が固定的に設置され、前記第一カムチャンバの中にある前記第一回転軸の外部には第一カムが固定的に設置され、前記第一回転軸の末端にはねじりばねが設置され、前記ラチェットチャンバの中にある前記第一回転軸の外部にはラチェットが固定的に設置される。
【０００７】
前記ロック装置は前記第一カムチャンバの右側内壁の中に連通するように設置される第一スライド穴を含み、前記第一スライド穴の中には第一スライドロッドがスライドできるように設置され、前記第一スライドロッドと前記第一スライド穴の端壁との間には第一リセット装置が弾性的に設置され、前記第一スライド穴と前記ロック溝との間には第二スライド穴が連通するように設置され、前記第二スライド穴の中には第二スライドロッド及び前記第二スライドロッドの下方に位置する第三スライドロッドがスライドできるように設置され、前記第二スライドロッドと前記第二スライド穴の端壁との間には第二リセット装置が弾性的に設置され、前記第三スライドロッドの端壁の中には開口した斜め溝が設置され、前記第三スライドロッドと前記第二スライドロッドとの間には第一バネが弾性的に設置され、前記第二スライド穴の端壁の中には前記第二スライド穴と連通する第三スライド穴が設置され、前記第三スライド穴の中には第四スライドロッドがスライドできるように設置され、前記第四スライドロッドと前記第三スライド穴の端壁との間には第三リセット装置が弾性的に設置され、前記第四スライドロッドの中には上下に貫通している楔形穴が設置され、前記ロック溝の頂壁の中には前記第三スライド穴を貫通している第四スライド穴が設置され、前記第四スライド穴の中には第五スライドロッドがスライドできるように設置され、前記第五スライドロッドと前記第四スライド穴の端壁との間には第四リセット装置が弾性的に設置される。
【０００８】
好ましくは、前記解錠装置はスライド溝を含み、前記スライド溝の中にはスライドブロックとバックルとがスライドできるように設置され、前記バックルと前記スライドブロックとの間には第二バネが弾性的に設置され、前記スライドブロックの片側端壁の中にはねじ穴が設置され、前記ねじ穴の中にはネジロッドがねじ山によって連結され、前記ネジロッドの末端が前記第二空チャンバの中に插入され、且つ前記第二空チャンバの端壁の中に固定的に設置されるモーターと動力が伝達できるように連結され、前記モーターが前記ボディーの底部に固定的に設置される指紋モジュールと電気的に接続され、前記第二空チャンバの中にある前記ネジロッドの外周面には第一プーリが固定的に設置され、前記第二空チャンバと前記第二カムチャンバとの間には第二回転軸が回転できるように設置され、前記第二空チャンバの中にある前記第二回転軸の末端には第二プーリが固定的に設置され、前記第二プーリと前記第一プーリとの間にはベルトにより伝動できるように連結され、前記第二カムチャンバの中にある前記第二回転軸の末端には第二カムが固定的に装着され、前記第二カムチャンバの中には前記第三スライドロッドと固定的に連結される滑りブロックがスライドできるように設置される。
【発明の効果】
【０００９】
本発明の有益な効果は：本発明の自転車ロックは手でチェーンを引き動かすことで生み出される動力によりねじりばねがエネルギー蓄積を実現でき、それと同時に自転車をロックすることを実現し、設備の体積を縮小し、前記設備には指紋モジュールが設置されることにより解錠がコントロールされ、安全度が高く、また発電装置が備わり、より高い使用と普及の価値がある。
【図面の簡単な説明】
【００１０】
発明の実施例または既存技術の中の技術方案をより詳しく説明できるため、下記には実施例または既存技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１１】
【図１】図１は本発明の収納に便利な自転車ロックの整体構成概略図
【図２】図２は図１のＡ−Ａの構成概略図
【図３】図３は図１のＢの拡大構成模式図
【発明を実施するための形態】
【００１２】
下記に図１−３を合わせて本発明を詳しく説明し、意思の疎通にもっと便利なため、後文に出る方位を下記の通りに規定する：後文に出る上下左右前後の方向は図１自体の投影関係の上下左右前後の方向と一致している。
【００１３】
図１−３に示すように、本発明の収納に便利な自転車ロックは、ボディー１００及び前記ボディー１００の中に位置する収納チャンバ１０２と第一空チャンバ１０５を含み、前記収納チャンバ１０２の端壁の中には連通穴１４８が設置され、前記収納チャンバ１０２と前記第一空チャンバ１０５との間には内部に抜き穴が設置される収納軸１０３が回転できるように設置され、前記第一空チャンバ１０５の中にある前記収納軸１０３の外部には第一歯車１０４が固定的に設置され、前記収納チャンバ１０２の中にある前記収納軸１０３の外部には前記収納軸１０３と固定的に連結されるチェーン１０１が周設され、前記第一空チャンバ１０５の底壁の中には前記収納チャンバ１０２の右側に位置する第一カムチャンバ１０９が設置され、前記第一カムチャンバ１０９の底壁の中にはラチェットチャンバ１３１が設置され、前記ラチェットチャンバ１３１の中にはラチェット装置２００が設置され、前記ラチェットチャンバ１３１の片側端壁の中には下へ伸びている第二空チャンバ１４７が設置され、前記第二空チャンバ１４７の端壁の中には第二カムチャンバ１１８が設置され、前記第二カムチャンバ１１８の中には解錠装置３００が設置され、前記ボディー１００の端壁の中には開口したロック溝１２５が設置され、前記ロック溝１２５の中にはロックロッド１２３がスライドできるように設置され、前記ロックロッド１２３の頂壁の中には凹溝１２４が設置され、前記ロックロッド１２３の末端には固定ブロック１２２が固定的に装着され、前記固定ブロック１２２の端壁と前記チェーン１０１のうち前記収納軸１０３から離れている末端とが固定的に連結され、前記ロック溝１２５の中にはロック装置４００が設置され、前記ボディー１００の頂壁には太陽光発電装置１４９が設置される。
【００１４】
有益なように、前記ラチェット装置２００は前記ラチェットチャンバ１３１と前記第一空チャンバ１０５との間に回転できるように設置される第一回転軸１０７を含み、前記第一空チャンバ１０５の中にある前記第一回転軸１０７の末端には発電装置１５０が固定的に設置され、前記第一空チャンバ１０５の中にある前記第一回転軸１０７の末端には前記第一歯車１０４と噛み合う第二歯車１０６が固定的に設置され、前記第一カムチャンバ１０９の中にある前記第一回転軸１０７の外部には第一カム１０８が固定的に設置され、前記第一回転軸１０７の末端にはねじりばね１３３が設置され、前記ラチェットチャンバ１３１の中にある前記第一回転軸１０７の外部にはラチェット１３２が固定的に設置される。
【００１５】
有益なように、前記ロック装置４００は前記第一カムチャンバ１０９の右側内壁の中に連通するように設置される第一スライド穴１１２を含み、前記第一スライド穴１１２の中には第一スライドロッド１１０がスライドできるように設置され、前記第一スライドロッド１１０と前記第一スライド穴１１２の端壁との間には第一リセット装置１１１が弾性的に設置され、前記第一スライド穴１１２と前記ロック溝１２５との間には第二スライド穴１１３が連通するように設置され、前記第二スライド穴１１３の中には第二スライドロッド１１５及び前記第二スライドロッド１１５の下方に位置する第三スライドロッド１２０がスライドできるように設置され、前記第二スライドロッド１１５と前記第二スライド穴１１３の端壁との間には第二リセット装置１１４が弾性的に設置され、前記第三スライドロッド１２０の端壁の中には開口した斜め溝１２１が設置され、前記第三スライドロッド１２０と前記第二スライドロッド１１５との間には第一バネ１１６が弾性的に設置され、前記第二スライド穴１１３の端壁の中には前記第二スライド穴１１３と連通する第三スライド穴１４０が設置され、前記第三スライド穴１４０の中には第四スライドロッド１３９がスライドできるように設置され、前記第四スライドロッド１３９と前記第三スライド穴１４０の端壁との間には第三リセット装置１３８が弾性的に設置され、前記第四スライドロッド１３９の中には上下に貫通している楔形穴１３５が設置され、前記ロック溝１２５の頂壁の中には前記第三スライド穴１４０を貫通している第四スライド穴１３４が設置され、前記第四スライド穴１３４の中には第五スライドロッド１３７がスライドできるように設置され、前記第五スライドロッド１３７と前記第四スライド穴１３４の端壁との間には第四リセット装置１３６が弾性的に設置される。
【００１６】
有益なように、前記解錠装置３００はスライド溝１３０を含み、前記スライド溝１３０の中にはスライドブロック１２９とバックル１２６とがスライドできるように設置され、前記バックル１２６と前記スライドブロック１２９との間には第二バネ１２７が弾性的に設置され、前記スライドブロック１２９の片側端壁の中にはねじ穴１２８が設置され、前記ねじ穴１２８の中にはネジロッド１４４がねじ山によって連結され、前記ネジロッド１４４の末端が前記第二空チャンバ１４７の中に插入され、且つ前記第二空チャンバ１４７の端壁の中に固定的に設置されるモーター１４５と動力が伝達できるように連結され、前記モーター１４５が前記ボディー１００の底部に固定的に設置される指紋モジュール１４９と電気的に接続され、前記第二空チャンバ１４７の中にある前記ネジロッド１４４の外周面には第一プーリ１４６が固定的に設置され、前記第二空チャンバ１４７と前記第二カムチャンバ１１８との間には第二回転軸１４２が回転できるように設置され、前記第二空チャンバ１４７の中にある前記第二回転軸１４２の末端には第二プーリ１４１が固定的に設置され、前記第二プーリ１４１と前記第一プーリ１４６との間にはベルト１４３により伝動できるように連結され、前記第二カムチャンバ１１８の中にある前記第二回転軸１４２の末端には第二カム１１９が固定的に装着され、前記第二カムチャンバ１１８の中には前記第三スライドロッド１２０と固定的に連結される滑りブロック１１７がスライドできる
ように設置される。
【００１７】
下記に、出願人は附図１−３及び上記に述べた本出願の自転車ロックの具体的な構成を参考して本出願の収納に便利な自転車ロックの使用方法を詳しく紹介する：
【００１８】
本発明設備が作動する時、ロックロッド１２３を抜き取り、この時に第五スライドロッド１３７が下へ移動し、第四スライドロッド１３９が斜め溝１２１の中に弾まれ、第三スライドロッド１２０がロックされ、チェーン１０１を外へ引き動し収納軸１０３と、第一歯車１０４と、第二歯車１０６と第一回転軸１０７とを回転連動させ、それにより第一カム１０８を連動させて第一スライドロッド１１０を押圧させ、それにより第二スライドロッド１１５を連動させて下へ移動し第一バネ１１６を押圧させ、この時に第三スライドロッド１１５が下へ移動できなく、この時に第一バネ１１６が圧縮されて力を蓄積し、発電装置１５０に電量を生み出し蓄え、この時に第一回転軸１０７が回転しラチェット１３２を回転連動させ、バックル１２６を押圧し第二バネ１２７を圧縮し、ラチェット１３２が一つ穴を回転させてバックル１２６がラチェット１３２により一つ穴をしっかりと引っかかり、それと同時に第一回転軸１０７が回転しねじりばね１３３を連動させて力を蓄積させ、ロックロッド１２３がタイヤを通し抜けた後にロック溝１２５の中に挿入され、それにより第四スライドロッド１３９を移動連動させ斜め溝１２１から出させ、第三スライドロッド１２０が凹溝１２４の中に弾まれ、ロックロッド１２３がロックされ、この時に自転車がロックされ、解錠する時、指で指紋モジュール１４９に触り、指紋モジュール１４９により正確に認識された後、モーター１４５が起動回転し、ネジロッド１４４と、第一プーリ１４６と第二プーリ１４１とを回転連動させ、それにより第二カム１１９を連動させて滑りブロック１１７を上へ押圧させ、それにより第三スライドロッド１２０を連動させて第一バネ１１６を圧縮させ、第三スライドロッド１２０の底部が移動し凹溝１２４から出て、ロックロッド１２３を解錠し、ネジロッド１４４が回転しスライドブロック１２９を移動連動させ第二バネ１２７を引っ張り、それによりバックル１２６を引っ張りラチェット１３２から離れ、この時に第一回転軸１０７がねじりばね１３３の作用により逆方向に回転しリセットし、それにより第二歯車１０６と、第一歯車１０４と収納軸１０３とを回転連動させ、それによりチェーン１０１を収納チャンバ１０２の中に回収し、モーター１４５が反転しスライドブロック１２９を移動連動させ、スライドブロック１２９が第二バネ１２７を押圧し、それによりバックル１２６を連動させてラチェット１３２の中に引っかかり、ロックロッド１２３をロック溝１２５の中に挿入し、設備が初期状態に戻る。
【００１９】
上記詳細な分析からわかるのは：本発明の自転車ロックは手でチェーンを引き動かすことで生み出される動力によりねじりばねがエネルギー蓄積を実現でき、それと同時に自転車をロックすることを実現し、設備の体積を縮小し、前記設備には指紋モジュールが設置されることにより解錠がコントロールされ、安全度が高く、また発電装置が備わり、より高い使用と普及の価値がある。
【００２０】
上記は、本発明の具体的な実施例だけであり、発明の保護範囲はこれに限定されたものではなく、創造的な労働を通じなく想到できる全ての変化又は入れ替わりは、本発明の保護範囲に含む。したがって、発明の保護範囲は請求項に限定された保護範囲を基準とするべきである。